(57)【特許請求の範囲】
【請求項１】
それぞれドアホン子機が接続された複数台の親機に付設されるドアホン接続拡張アダプタを備え、ドアホン接続拡張アダプタは、親機に接続される第１の接続端子および外部接続用の第２の接続端子と、各親機がドアホン子機との間で授受する信号が第１の接続端子と第２の接続端子との間で通過するのを許可する状態と禁止する状態とを選択するスイッチ要素と、第２の接続端子より識別情報を含む信号を受信したときにあらかじめ設定してある識別情報と一致すると以後の信号の通過を許可するようにスイッチ要素を制御する制御手段と、信号の通過の許可と禁止および制御手段の有効と無効とを選択する選択手段とを備え、複数台のドアホン接続拡張アダプタの第２の接続端子間に信号の授受経路が形成され、親機はドアホン子機を接続する第３の接続端子と増設親機を接続可能である第４の接続端子とを備えるとともに、第３の接続端子と第４の接続端子との間で信号を通過させる経路を有し、ドアホン接続拡張アダプタは第４の接続端子に接続されていることを特徴とするドアホンシステム。
【請求項２】
それぞれドアホン子機が接続された２台の親機と、両親機間に介在するドアホン接続拡張アダプタとを備え、ドアホン接続拡張アダプタは、各親機に接続される第１および第２の接続端子と、各親機がドアホン子機との間で授受する信号が第１の接続端子と第２の接続端子との間で通過するのを許可する状態と禁止する状態とを選択するスイッチ要素と、信号の通過の許可と禁止とを選択する選択手段とを備え、親機はドアホン子機を接続する第３の接続端子と増設親機を接続可能である第４の接続端子とを備えるとともに、第３の接続端子と第４の接続端子との間で信号を通過させる経路を有し、ドアホン接続拡張アダプタは第４の接続端子に接続されていることを特徴とするドアホンシステム。
【請求項３】
前記ドアホン接続拡張アダプタは、処理手順および処理時に用いるデータを格納したＲＯＭを備え、ＲＯＭの内容が交換可能であることを特徴とする請求項１または請求項２記載のドアホンシステム。
【発明の詳細な説明】
【０００１】
【発明の属する技術分野】
本発明は、門や玄関に配置されるドアホン子機と、ドアホン子機からの呼出を受けるとドアホン子機との間で通話が可能になる親機とを備えるドアホンシステムに関するものである。
【０００２】
【従来の技術】
従来より提供されているドアホンシステムには、使用場所に応じた各種構成のものが提供されている。
図１３に示すものは、一般住宅用のドアホンシステムであって、親機１1 に第１の信号線Ｌ11，Ｌ12を介してドアホン子機２1 ，２2 がそれぞれ接続され、また第２の信号線Ｌ21を介して親機１1 に増設親機３1 ，３2 が接続された構成を有する。ドアホン子機２1 ，２2 は通常は戸外に配置されるものであり、少なくとも親機１1 において呼出音を発生させるための操作を行なう機能と、親機１1 との間で通話を行なう機能とを有している。また、ドアホン子機２1 ，２2 によっては、来訪者を撮像して親機１1 に表示させる機能を有するものもある。
【０００３】
ここでは、図１４に示すように、ドアホン子機２1 として来訪者を撮像するＴＶカメラ２１と、通話用のマイクロホン２２およびスピーカ２３を備えるものを用いている。ＴＶカメラ２１より出力される映像信号は映像変調回路２１ａにより変調された後に多重分離回路２４に入力される。多重分離回路２４には接続端子Ｔ21が設けられ、この接続端子Ｔ21には信号線Ｌ11が接続される。
【０００４】
また、マイクロホン２２から出力された音声信号はマイクアンプ２２ａにより増幅され、２線−４線変換回路２５を通して多重分離回路２４に入力される。一方、多重分離回路２４より出力される音声信号は２線−４線変換回路２５を介してスピーカアンプ２３ａに入力されスピーカ２３で音声に変換されて出力される。２線−４線変換回路２５は、マイクロホン２２からの音声信号とスピーカ２３への音声信号とを同じ線路で伝送するとともに、マイクロホン２２からスピーカ２３への回り込みを抑制するために設けられている。
【０００５】
ドアホン子機２1 にはスイッチよりなる呼出釦２６ａが設けられており、呼出釦２６ａが押操作されると、制御信号送信回路２７により生成された制御信号が多重分離回路２４を通して接続端子Ｔ21より信号線Ｌ11に送出される。
ドアホン子機２1 の電源は、親機１から信号線Ｌ11を通して供給され、電源回路２８で安定化されてドアホン子機２1 の内部回路に与えられる。ところで、信号線Ｌ11は２線式の平衡ケーブルであって、映像信号、音声信号、制御信号の伝送と電源の供給とに用いられるから、信号線Ｌ11では映像信号、音声信号、制御信号が混在し、それらの信号が電源に重畳された形で伝送されることになる。映像信号と音声信号と制御信号とは周波数帯域が異なるから（たとえば、音声信号は３００Ｈｚ〜４ｋＨｚ、制御信号は１００ｋＨｚ前後、映像信号は１〜１０ＭＨｚなど。特開平５−２０７１６６号公報等参照）、多重分離回路２４では信号線Ｌ11から接続端子Ｔ21を通して入力された信号を、周波数帯域別に弁別することにより、映像信号と音声信号と制御信号とに分離するのである。また、ドアホン子機２1 で発生した映像信号、音声信号、制御信号は電源に重畳させて信号線Ｌ11に送出する。
【０００６】
一方、図１５に示すように、ドアホン子機２2 はドアホン子機２1 からＴＶカメラ２１および映像変調回路２１ａを省略した構成を有する。
親機１1 は、図１３に示すように、信号線Ｌ11，Ｌ12が接続される接続端子Ｔ11，Ｔ12を備え、接続端子Ｔ11，Ｔ12を通して信号線Ｌ11，Ｌ12から受け取った信号はドアホン子機切換スイッチ１０を通して択一的に選択され、選択された信号が多重分離回路１４1 で映像信号と音声信号とに分離される。親機１1 は、ドアホン子機２1 のＴＶカメラ２１で撮像された画像を表示するためのモニタ１１を備え、また、ドアホン子機２1 ，２2 との間で通話を可能とするためにマイクロホン１２およびスピーカ１３を備えている。モニタ１１にはＣＲＴまたは液晶表示器が用いられる。
【０００７】
多重分離回路１４1 で分離された映像信号は、映像復調回路１１ａで復調された後にモニタ１１に入力されてＴＶカメラ１３で撮像した画像がモニタ１１に表示される。また、多重分離回路１４1 で分離された音声信号は、ドアホン子機２に設けたものと同様の２線−４線変換回路１５を通してスピーカアンプ１３ａに入力されることによって増幅され、スピーカアンプ１３ａの出力によりスピーカ１３が駆動される。マイクロホン１２からの音声信号はマイクアンプ１２ａで増幅され、２線−４線変換回路１５を通して多重分離回路１４1 に入力される。
【０００８】
信号線Ｌ11，Ｌ12を伝送される制御信号は多重分離回路１４1 を通らずにそれぞれ制御信号受信回路１７ｂ1 ，１７ｂ2 を通してＣＰＵ１６に入力される。ドアホン子機２1 ，２2 からの制御信号は呼出釦２６ａの押操作により発生するから、この制御信号を受け取ったＣＰＵ１６は制御信号を発生したドアホン子機２1 ，２2 を多重分離回路１４1 に接続するように、ドアホン子機切換スイッチ１０を切り換える。
【０００９】
親機１には商用電源に接続されるプラグ１９ａが設けられ、商用電源を整流し安定化して内部回路やドアホン子機２1 ，２2 に電源を供給するための電源回路１９が設けられている。多重分離回路１４1 において電源回路１９の出力電圧には映像信号、音声信号が重畳される。また、多重分離回路１４1 の出力は、接続端子Ｔ11，Ｔ12を通して信号線Ｌ11，Ｌ12に送出される。
【００１０】
ところで、親機１1 には、ドアホン子機２1 のＴＶカメラ２１で撮像した画像を表示したり、ドアホン子機２1 ，２2 との間で通話したり、ドアホン子機２1 ，２2 との間で制御信号を授受したりする機能があるが、これらの機能は屋内の複数箇所で利用できることが望ましい。そこで、親機１1 に設けた接続端子Ｔ13に信号線Ｌ21を接続し、この信号線Ｌ21を介して増設親機３1 ，３2 を設けることが考えられている。
【００１１】
増設親機３1 ，３2 を設けるには、映像信号、音声信号、制御信号をドアホン子機２1 ，２2 と増設親機３1 ，３2 との間でも伝送できるようにしなければならない。つまり、接続端子Ｔ11，Ｔ12に接続された多重分離回路１４1 と接続端子Ｔ13に接続された多重分離回路１４2 との間に、映像信号、音声信号、制御信号をそれぞれ独立して通過させる経路を形成するのである。図では多重分離回路１４1 ，１４2 の間を接続するだけの簡単な構成で双方向の経路を形成しているが、映像信号は周波数が高く減衰量が比較的大きいから、双方向の映像用増幅器を介在させてもよい。制御信号については、信号線Ｌ11，Ｌ12の方からは受信のみであるが、信号線Ｌ21の方からは送受信があるから、ＣＰＵ１６と多重分離回路１４2 との間に制御信号送受信回路１８を介在させる。したがって、接続端子Ｔ11，Ｔ12から受け取った制御信号は制御信号受信回路１７ａ，１７ｂを通してＣＰＵ１６に入力され、さらにＣＰＵ１６から制御信号送受信回路１８、多重分離回路１４2 、接続端子Ｔ13を通して増設親機３1 ，３2 に伝送されるのである。また、親機１1 と増設親機３1 ，３2 との間では制御信号送受信回路１８を通して制御信号が授受される。ＣＰＵ１６には増設親機３1 ，３2 との通話の際の呼出を行なうためのスイッチよりなる操作釦１６ａが付設されている。
【００１２】
増設親機３1 は、図１６に示すように、モニタ３１、映像復調回路３１ａ、マイクロホン３２、マイクアンプ３２ａ、スピーカ３３、スピーカアンプ３３ａ、多重分離回路３４、２線−４線変換回路３５、ＣＰＵ３６、制御信号送受信回路３８、電源回路３９を備える。ここに、増設親機３1 を構成する各要素は親機１1 の各要素と同様の機能を持つものである。多重分離回路３４は接続端子Ｔ31を介して信号線Ｌ21に接続される。また、商用電源を整流し安定化する電源回路３９を備えているが、この電源回路３９は増設親機３1 の内部回路への給電用であり、親機１1 のようにドアホン子機２1 ，２2 への給電を行なうことはない。電源回路３９には商用電源に接続されるプラグ３９ａが付設される。増設親機３1 には親機１1 と同様に、親機１1 の呼出を行なうためのスイッチよりなる操作釦３６ａが設けられている。また、信号線Ｌ21の終端には映像信号の反射を防止するために終端抵抗４が接続される。
【００１３】
増設親機３1 は、図１７に示すように、ドアホン子機２1 に対応してモニタ３１を備えるものであるが、増設親機３2 はモニタ３１および映像復調回路３１ａを省略した構成になっている。
上述のように、親機１1 および増設親機３1 はドアホン子機２1 からの映像をモニタ１１，３１に表示し、また親機１1 および増設親機３1 ，３2 によりドアホン子機２1 ，２2 からの呼出を受けたり、ドアホン子機２1 ，２2 との間で通話したりすることが可能になる。したがって、増設親機３1 ，３2 を親機１1 とは異なる場所に配置して複数箇所でドアホン子機２1 からの画像を監視したり、ドアホン子機２1 ，２2 からの呼出を受けたり、ドアホン子機２1 ，２2 との間で通話したりすることが可能になる。さらに、親機１1 と増設親機３1 ，３2 との間、増設親機３1 ，３2 の相互間では呼出や通話が可能であり、室内間での呼出や通話も可能になる。ここに、増設親機３1 ，３2 はドアホン子機２1 ，２2 からの呼出を常時待ち受けるように構成される。これは、増設親機３1 ，３2 を複数箇所で親機１1 と同様に用いるためである。
【００１４】
上述したドアホンシステムは一般住宅用のものであるが、いわゆる二世帯住宅のように１つの家屋内で２家族の住空間の大部分あるいは全部が分離されているような住宅では、基本的には各家族の生活を侵害しないために２個の独立したドアホンシステムを持ちながらも、ドアホンシステム間での呼出や通話を可能にしたいことがある。この場合、図１８に示すようなシステム構成になる。親機１′は基本的に上述した親機１1 と同様の構成を有しているが、親機１′の接続端子Ｔ13には増設親機３1 ，３2 が付設されるのではなく、親機１′同士が信号線Ｌ22を介して接続されるようになっている。親機１′の構成は親機１1 と同様であるが、基本的には接続端子Ｔ11，Ｔ12に直結されたドアホン子機２1 ，２2 からのみ信号を受信するものであるが、一方の世帯が留守であるような場合に対応して、一方の世帯に設けたドアホン子機２1 ，２2 からの信号を他方の世帯の親機１′に転送することもできるようになっている。また、２台の親機１′同士の間での通話も可能になっている。
【００１５】
さらに、集合住宅などでは、図１９に示すように、各戸ごとのドアホンシステムをロビーインターホン５に接続するような使用形態になる。つまり、各戸のドアホンシステムはそれぞれ親機１″とドアホン子機２1 ，２2 とを備え、親機１″は親機１1 と同様の構成を持つものであるが、各戸の親機１″はそれぞれ信号線Ｌ23に設けた分岐器６に接続端子Ｔ13を接続し、信号線Ｌ23を介してロビーインターホン５に接続されるようになっている。すなわち、１本の信号線Ｌ23に分岐器６を介して各親機１″を接続しているのである。この場合、親機１1 と同様に映像信号の反射を防止するための終端抵抗８が信号線Ｌ23の一端に接続される。
【００１６】
ロビーインターホン５は、ドアホン子機２1 とほぼ同様の構成を有し、ＴＶカメラ５１、映像変調回路５１ａ、マイクロホン５２、マイクアンプ５２ａ、スピーカ５３、スピーカアンプ５３ａ、多重分離回路５４、２線−４線変換回路５５を備える。また、キースイッチよりなる操作釦５６ａを備え、操作釦５６ａの操作に基づいてＣＰＵ５６では制御信号を生成し、この制御信号を制御信号送受信回路５７を介して多重分離回路５４に与える。また、親機１″から制御信号が伝送されると制御信号送受信回路５７を介してＣＰＵ５６に与え、ＣＰＵ５６では制御信号の内容に応じてロビーインターホン５を操作する。親機１″からの制御信号では、たとえばＴＶカメラ５１の視野（向きなど）を調節するなどの操作が可能になっている。ロビーインターホン５は、プラグ５９ａを介して商用電源から給電される電源回路５９を備えている。
【００１７】
この構成の場合、ロビーインターホン５の操作釦５６ａを用いて親機１″を指定することにより、指定された親機１″でのみロビーインターホン５との間で信号の授受が可能になる。したがって、各親機１″を識別する必要があり、各親機１″には各戸別の世帯番号が設定されるとともに、世帯番号を用いて指定された親機１″のみがロビーインターホン５との間で信号を授受するような通信手順が必要になる。
【００１８】
【発明が解決しようとする課題】
上述したように、ドアホンシステムには各種の使用形態があるが、ドアホン子機２1 ，２2 はどの使用形態においても共通に使用することができる。一方、各使用形態における親機１1 ，１′  ，１″の構成には共通点が多いものの、それぞれの機能に若干の相違があるから、各使用形態ごとに機能の異なる親機１1 ，１′，１″が必要であって、多品種になり、開発コスト、生産コスト、在庫管理コストの増加につながるという問題がある。
【００１９】
本発明は上記事由に鑑みて為されたものであり、その目的は、各種使用形態でドアホン子機のみではなく親機も共用することができるようにしたドアホンシステムを提供することにある。
【００２０】
【課題を解決するための手段】
請求項１の発明は、それぞれドアホン子機が接続された複数台の親機に付設されるドアホン接続拡張アダプタを備え、ドアホン接続拡張アダプタは、親機に接続される第１の接続端子および外部接続用の第２の接続端子と、各親機がドアホン子機との間で授受する信号が第１の接続端子と第２の接続端子との間で通過するのを許可する状態と禁止する状態とを選択するスイッチ要素と、第２の接続端子より識別情報を含む信号を受信したときにあらかじめ設定してある識別情報と一致すると以後の信号の通過を許可するようにスイッチ要素を制御する制御手段と、信号の通過の許可と禁止および制御手段の有効と無効とを選択する選択手段とを備え、複数台のドアホン接続拡張アダプタの第２の接続端子間に信号の授受経路が形成され、親機はドアホン子機を接続する第３の接続端子と増設親機を接続可能である第４の接続端子とを備えるとともに、第３の接続端子と第４の接続端子との間で信号を通過させる経路を有し、ドアホン接続拡張アダプタは第４の接続端子に接続されているものである。この構成によれば、従来より提供されている親機を用いながらも、親機間での信号の授受が可能になっており、スイッチ要素を操作すれば２台の親機間での信号の通過が許可される状態と禁止される状態とを選択することができるから、二世帯住宅用としてのシステムを構築することが可能になる。すなわち、増設親機を接続するための接続端子を備えた親機を用いるドアホンシステムであれば、増設親機を接続するための接続端子にドアホン接続拡張アダプタを接続することによって、複数のドアホンシステムの相互間で通話が可能になる。また、識別情報によりスイッチ要素を操作することが可能であるから、多数台の親機を用いてロビーインターホンに接続しているときに、ロビーインターホンからの識別情報を受けて、各親機とロビーインターホンとの間の通話を個別に制御することが可能になり、集合住宅用のシステムを構築することも可能になる。このように、ドアホン接続拡張アダプタを用いることによって、通常のドアホンシステムを二世帯住宅用と集合住宅用とのどちらにも拡張することが可能になるのである。その結果、多品種の親機を製造する必要がなく、開発コスト、製造コスト、在庫コストなどのコストが低減されることになる。
【００２４】
請求項２の発明は、それぞれドアホン子機が接続された２台の親機と、両親機間に介在するドアホン接続拡張アダプタとを備え、ドアホン接続拡張アダプタは、各親機に接続される第１および第２の接続端子と、各親機がドアホン子機との間で授受する信号が第１の接続端子と第２の接続端子との間で通過するのを許可する状態と禁止する状態とを選択するスイッチ要素と、信号の通過の許可と禁止とを選択する選択手段とを備え、親機はドアホン子機を接続する第３の接続端子と増設親機を接続可能である第４の接続端子とを備えるとともに、第３の接続端子と第４の接続端子との間で信号を通過させる経路を有し、ドアホン接続拡張アダプタは第４の接続端子に接続されているものである。この構成では１台のドアホン接続拡張アダプタを用いるだけで２台の親機間の信号の通過の許可と禁止とを制御することができるから、通常のシステムから二世帯住宅用のシステムへの拡張が容易である。また、請求項１の発明と同様に、通常のドアホンシステムを二世帯住宅用と集合住宅用とのどちらにも拡張することが可能になる。しかも、増設親機を接続するための接続端子を備えた親機を用いるドアホンシステムであれば、増設親機を接続するための接続端子にドアホン接続拡張アダプタを接続することによって、複数のドアホンシステムの相互間で通話が可能になる。
【００２６】
請求項３の発明は、請求項１または請求項２の発明において、ドアホン接続拡張アダプタが、処理手順および処理時に用いるデータを格納したＲＯＭを備え、ＲＯＭの内容を交換可能としたものである。この構成によれば、ＲＯＭの内容変更が可能になるから処理内容の変更など仕様変更に容易に対応することができる。
【００２８】
【発明の実施の形態】
（実施形態１）
本実施形態は、図１に示すように、ドアホンシステムにドアホン接続拡張アダプタ７1 を付加し、ドアホン接続拡張アダプタ７1 を介して２つのドアホンシステム間を結合するようにしたものである。各ドアホンシステムの構成は、従来より提供されている一般的なドアホンシステムと同様の構成であり、増設親機３1 ，３2 を接続端子Ｔ13に接続可能とした親機１1 を用いている。ドアホン接続拡張アダプタ７1 は増設親機３1 ，３2 と同様に親機１1 の接続端子Ｔ13に対して信号線Ｌ21を介して接続される。
【００２９】
ドアホン接続拡張アダプタ７1 は、各ドアホンシステムから受信した信号から制御信号を分離し、制御信号の内容および後述する設定釦７６ａの設定内容に応じて映像信号および音声信号を通過させるか否かを決定するとともに、制御信号の形式を必要に応じて変換する。
ドアホン接続拡張アダプタ７1 は、２つの接続端子Ｔ71，Ｔ72を備えており、一方の接続端子Ｔ71は一方のドアホンシステムの信号線Ｌ21に直結され、他方の接続端子Ｔ72は他方のドアホンシステムに接続されたドアホン接続拡張アダプタ７1 の接続端子Ｔ72に信号線Ｌ31を介して接続される。各接続端子Ｔ71，Ｔ72にはそれぞれ多重分離回路７４1 ，７４2 を備え、多重分離回路７４1 ，７４2 は、それぞれ接続端子Ｔ71，Ｔ72を通して入力された信号から制御信号を分離したり、映像信号および音声信号と制御信号とを多重化して接続端子Ｔ71，Ｔ72から送出したりする機能を有している。
【００３０】
接続端子Ｔ71，Ｔ72を通して入力され多重分離回路７４1 ，７４2 で分離された制御信号は制御信号送受信回路７８1 ，７８2 を通してＣＰＵ７６に入力される。また、一方の多重分離回路７４1 ，７４2 で制御信号を分離した残りの映像信号おおび音声信号は、スイッチ要素７１を介して他方の多重分離回路７４1 ，７４2 に入力され、この他方の多重分離回路７４1 ，７４2 ではＣＰＵ７６から出力され制御信号送受信回路７８1 ，７８2 を通して与えられる制御信号とスイッチ要素７１を通して与えられる映像信号および音声信号とを多重化し、接続端子Ｔ71，Ｔ72を通して外部に出力する。また、内部回路の電源として商用電源にプラグ７９ａを介して接続される電源回路７９を備える。
【００３１】
ＣＰＵ７６は、スイッチ群を備えた設定釦７６ａの設定状態に応じて、二世帯住宅用などのように２つのドアホンシステム同士を結合するのか、集合住宅用などのように多数のドアホンシステムを結合しかつロビーインターホン５を用いることができるようにするのかを選択する。この選択に応じて制御信号の形態を変換する。また、スイッチ要素７１のオンオフは設定釦７６ａの設定状態と受信した制御信号の内容とを組み合わせて決定される。
【００３２】
設定釦７６ａでは、二世帯住宅用と集合住宅用との設定のほか、二世帯住宅用の設定では、各世帯ごとにドアホン子機を管理するか、一方の世帯が留守であって他方の世帯の親機でドアホン子機を管理するかの切換が可能であり、集合住宅用の設定では各戸ごとの親機を識別するための世帯番号の設定が可能になっている。
【００３３】
さらに詳しく説明すると、二世帯住宅用として用いるときには、図１に示すように、各世帯ごとにドアホン子機２1 ，２2 、親機１1 、増設親機３1 ，３2 を適宜に組み合わせてドアホンシステムを構築し、親機１1 と増設親機３1 ，３2 とを接続する信号線Ｌ21の適宜の位置にドアホン接続拡張アダプタ７1 の接続端子Ｔ71を接続する。また、各ドアホンシステムに接続したドアホン接続拡張アダプタ７1 の接続端子Ｔ72同士を信号線Ｌ31を介して接続する。
【００３４】
設定釦７６ａにより二世帯住宅用を選択しているときには、スイッチ要素７１は多重分離回路７４2 から多重分離回路７４1 に向かう向きについてはオンオフせずにつねに信号の通過を許可し、逆向きについては設定釦７６ａの設定状態に応じてオンオフを決定するのが望ましい。同様にＣＰＵ７６においても制御信号送受信回路７８1 から制御信号送受信回路７８2 に向かっては制御信号の通過を許可し、逆向きには信号の伝送を許可するか否かを設定釦７６ａの選択状態に応じて決定するのが望ましい。これは、一方での設定釦７６ａの操作によって他方の呼出を可能とするためであり、この呼出に応答して他方でも設定釦７６ａを操作すれば両ドアホンシステム間で双方向の信号伝送が可能になる。
【００３５】
しかして、常時はスイッチ要素７１をオフにし制御信号の通過も禁止することによって、両ドアホンシステム間での信号の授受を行なわないようにして互いに切り離した状態で使用する。また、一方のドアホン接続拡張アダプタ７1 において設定釦７６ａを上述のような留守時の設定とすれば、そのドアホン接続拡張アダプタ７1 において信号が双方向に通過可能となるから、一方のドアホンシステムの親機１1 から他方のドアホンシステムの親機１1 を呼び出すことが可能になり、他方のドアホンシステムに属するドアホン接続拡張アダプタ７1 においても設定釦７６ａを操作すれば両ドアホンシステム間で双方向の信号伝送が可能になるのである。
【００３６】
ところで、集合住宅用に用いるには、図２に示すように、信号線Ｌ23に挿入した分岐器６にドアホン接続拡張アダプタ７1 の接続端子Ｔ72を接続する。信号線Ｌ23の一端には終端抵抗８が接続され、他端にはロビーインターホン５が接続される。ドアホン接続拡張アダプタ７1 の接続端子71には親機１1 の接続端子Ｔ13に接続した信号線21が接続される。この部分の接続は二世帯住宅用の場合と同様である。
【００３７】
設定釦７６ａにより集合住宅用を選択しているときには、スイッチ要素７１は常時はオフになる。また、ＣＰＵ７６は、接続端子Ｔ72を通して受信した信号に含まれる制御信号の中の世帯番号と、設定釦７６ａにより各ドアホンシステムごとに異なる値に設定されている世帯番号とを照合して両者が一致すると、スイッチ要素７１をオンにして信号線Ｌ23からの映像信号および音声信号の通過を許可するとともに、制御信号から世帯番号などを取り除き増設親機３1 ，３2 から親機１1 に伝送される制御信号と同様の形態の制御信号として信号線Ｌ23に送出するのである。
【００３８】
以上説明したように、一般住宅用のドアホンシステムを構築するための親機１１を用いているから、もっとも汎用的である一般住宅用のドアホンシステムを構築することができるのはもちろんのこと、親機１１に増設親機３１，３２を接続するために設けている接続端子Ｔ１３に接続されたドアホン接続拡張アダプタ７１を追加すれば、ドアホン接続拡張アダプタ７１の設定釦７６ａの操作によって、二世帯住宅用と集合住宅用との機能を選択することができるから、両方の接続形態に容易に対応することができるのである。つまり、親機１１、ドアホン子機２１，２２、増設親機３１，３２として共通の構成のものを用いながらも３種類の使用形態に対応することが可能になるのである。他の構成および動作は従来の一般住宅用のドアホンシステムと同様である。
【００３９】
（参考例１）
本例では、図３に示すように、一般住宅用の親機１１に対してスイッチ要素１６ｂを追加したものである。スイッチ要素１６ｂは接続端子Ｔ１２と接続端子Ｔ１３との間に接続され、そのオンオフは操作釦１６ａの操作に応じてＣＰＵ１６が決定する。ドアホン接続拡張アダプタ７１は実施形態１と同様の構成のものを用いるが、ドアホン接続拡張アダプタ７１の接続端子Ｔ７１を信号線Ｌ３２を介して親機１１の接続端子Ｔ１２に接続する点が相違する。
【００４０】
一般住宅用のドアホンシステムを構築する際にはスイッチ要素１６ｂをオフにしておく。このときには、従来技術として説明した一般住宅用のドアホンシステムの親機１1 と同様に機能する。
一方、二世帯住宅用に使用するときには、２つのドアホンシステムを切り離して動作させる状態と、両ドアホンシステム間で相互に信号を授受する状態とを選択しなければならない。そこで、図４に示すように、親機１1 の接続端子Ｔ12とドアホン接続拡張アダプタ７1 の接続端子Ｔ71とを信号線Ｌ32を介して接続し、親機１1 のスイッチ要素１６ｂをオンにする。このとき、ドアホン子機切換スイッチ１０は接続端子Ｔ11を選択しておく。このような設定によって、親機１1 の中で接続端子Ｔ11と接続端子Ｔ12との間で信号経路が二重に形成されたり、ループが形成されることがなく、接続端子Ｔ12は実質的に接続端子Ｔ13と同じ機能になる。ただし、このようにＣＰＵ１６がスイッチ要素１６ｂをオンにしたときには、ＣＰＵ１６は制御信号受信回路１７ｂの入力を無視する。上述の構成によって、実施形態１において接続端子Ｔ13にドアホン接続拡張アダプタ７1 を接続したものと同等に機能することになる。
また、集合住宅用に用いるときには、図５に示すように、親機１1 の接続端子Ｔ12に接続したドアホン接続拡張アダプタ７1 の接続端子Ｔ72を分岐器６を介して信号線Ｌ23に接続すればよい。
【００４１】
本例は、要するに、ドアホン接続拡張アダプタ７１の親機１１に対する接続箇所を接続端子Ｔ１２とし、親機１１の機能が実質的に実施形態１と同機能となるようにスイッチ要素１６ｂを設けて制御する点が実施形態１と異なるだけである。他の構成および動作は実施形態１と同様である。
（参考例２）
本例は、図６に示すように、ドアホン接続拡張アダプタ７３の構成を上述した構成例とは異なる構成としたものである。すなわち、上述したドアホン接続拡張アダプタ７３が２つの接続端子Ｔ７１，Ｔ７２を有していたものであるのに対して３つの接続端子Ｔ７２〜Ｔ７４を備えている。また、親機１１には実施形態１と同様の構成のものを用いている。
【００４２】
実施形態１においては、接続端子Ｔ７１を送受に兼用していたが、本例では接続端子Ｔ７３を受信専用とし、接続端子Ｔ７４を送信専用に用いている。したがって、接続端子Ｔ７３に接続した多重分離回路７４３には制御信号受信回路７８３が接続されるとともにスイッチ要素７１３を介して多重分離回路７４２が接続される。また、接続端子Ｔ７４に接続した多重分離回路７４４には制御信号送信回路７８４が接続されるとともにスイッチ要素７１４を介して多重分離回路７４２が接続される。ここにおいて、スイッチ要素７１３は接続端子Ｔ７３を通して制御信号受信回路７８３で受信した制御信号に基づいて制御され、スイッチ要素７１４は接続端子Ｔ７２を通して制御信号送受信回路７８２で受信した制御信号に基づいて制御される。
【００４３】
この構成のドアホン接続拡張アダプタ７3 を用いて二世帯住宅用に使用するには、親機１1 に設けた接続端子Ｔ13に信号線Ｌ21を介して接続端子Ｔ73を接続し、親機１1 に設けた接続端子Ｔ12に信号線Ｌ33を介して接続端子Ｔ74を接続し、さらに、他のドアホンシステムに接続されているドアホン接続拡張アダプタ７2 の接続端子Ｔ72に接続端子Ｔ72を接続する。また、設定釦７６ａを二世帯住宅用に設定しておく。
【００４４】
ここで、常時はスイッチ要素７１3 ，７１4 をオフにしておき、各ドアホンシステムをそれぞれ分離して動作させる。一方、設定釦７６ａを操作して留守時用の設定とすれば、相手側のドアホンシステムに接続されているドアホン接続拡張アダプタ７3 の制御信号送受信回路７８2 を通してＣＰＵ７６に呼出用の制御信号が伝送され、制御信号送信回路７８4 を通して親機１1 が呼び出されて留守時用の設定になることを知らせることができる。留守時用の設定になれば、ドアホン子機２1 からの信号は親機１1 を通して接続端子Ｔ73に入力され、制御信号受信回路７８3 を通してＣＰＵ７６が受信した制御信号によりスイッチ要素７１3 がオンになる。また、制御信号は制御信号送受信回路７８2 を通して相手側のドアホンシステムのドアホン接続拡張アダプタ７3 に転送され、相手側のドアホン接続拡張アダプタ７3 の制御信号送受信回路７８2 を通して制御信号がＣＰＵ７６に入力される。
【００４５】
これにより、相手側のドアホン接続拡張アダプタ７3 のスイッチ要素７８4 がオンになり、ドアホン子機２1 からの信号が相手側のドアホンシステムの親機１1 に入力されるのである。要するに、ドアホン子機２1 側のドアホン接続拡張アダプタ７3 ではスイッチ要素７８3 がオンになり、相手側のドアホン接続拡張アダプタ７3 ではスイッチ要素７８4 がオンになる。したがって、ドアホン子機２1 側のドアホンシステムの親機１1 は接続端子Ｔ11と接続端子Ｔ13との間で映像信号および音声信号を伝送し、相手側のドアホンシステムの親機１1 は接続端子Ｔ12と接続端子Ｔ13との間で映像信号および音声信号を伝送することになる。ここに、音声信号は双方向に伝送されるから通話が可能になる。
【００４６】
本例におけるドアホン接続拡張アダプタ７３を集合住宅用に用いるときには、図７に示すように、接続端子Ｔ７３，Ｔ７４を二世帯住宅用の場合と同様に親機１１に接続し、接続端子Ｔ７２を分岐器６を介して信号線Ｌ２３に接続する。信号線Ｌ２３の一端には終端抵抗８が接続され、他端にはロビーインターホン５が接続される。
【００４７】
設定釦７６ａを集合住宅用として設定すれば、ロビーインターホン５からの世帯番号の指定により特定のドアホン接続拡張アダプタ７3 が呼び出され、スイッチ要素７１4 がオンになって映像信号および音声信号の伝送が可能になる。ここで、音声信号はスイッチ要素７８4 を通して双方向に伝送される。また、ロビーインターホン５に制御信号を伝送するときには、スイッチ要素７１3 がオンになる。さらに、親機１1 同士の通話を行なう場合には、呼出側ではスイッチ要素７４3 がオンになり、被呼側ではスイッチ要素７４4 がオンになる。
【００４８】
他の構成および動作は実施形態１と同様である。
（実施形態２）
上述した各構成例では、二世帯住宅用での使用の際に２台の親機１１にそれぞれドアホン接続拡張アダプタ７１を接続していたが、本実施形態では、図８のように、実施形態１と同様の構成のドアホン接続拡張アダプタ７１を用い、１台のドアホン接続拡張アダプタ７１を介して２台の親機１１を接続するようにした例を示す。この構成は、実施形態１に用いたドアホン接続拡張アダプタ７１の別の使用例であって、二世帯住宅用としての使用の際にはドアホン接続拡張アダプタ７１を１台としてシステム構成を簡略化したものである。したがって、集合住宅用での使用の際には実施形態１と同様になる。他の構成および動作は実施形態１と同様である。
【００４９】
（参考例３）
本例は、図９に示すように、参考例１に示した親機１１を用い、実施形態２と同様に二世帯住宅用に使用するにあたって、１台のドアホン接続拡張アダプタ７１を介して２台の親機１１を接続しているものである。この構成は参考例１に用いた親機１１およびドアホン接続拡張アダプタ７１の別の使用例であって、二世帯住宅用としての使用の際にシステム構成が簡略化される。なお、集合住宅用での使用は参考例１と同様である。
【００５０】
（参考例４）
本例は、図１０に示すように、ドアホン接続拡張アダプタ７６として４つの接続端子Ｔ７３〜Ｔ７６を備えたものを用い、二世帯住宅用として使用するために、２台の親機１１を１台のドアホン接続拡張アダプタ７６を介して接続したものである。また、接続端子Ｔ７３，Ｔ７５は受信専用、接続端子Ｔ７４，Ｔ７６は送信専用に用いている。接続端子Ｔ７３，Ｔ７５はそれぞれ多重分離回路７４３，７４５を介して制御信号受信回路７８３、７８５に接続され、接続端子Ｔ７４，Ｔ７６はそれぞれ多重分離回路７４４，７４６を介して制御信号送信回路７８４，７８６に接続される。制御信号受信回路７８３、７８５に入力された制御信号は、ＣＰＵ７６で必要に応じて変換され制御信号送信回路７８４，７８６を通して出力される。多重分離回路７４３と多重分離回路７４６との間および多重分離回路７４４と多重分離回路７４５との間にはそれぞれＣＰＵ７６により制御されるスイッチ要素７１５，７１６が挿入される。さらに、ＣＰＵ７６には設定釦７６ａが接続され、ドアホン接続拡張アダプタ７６の内部電源は商用電源に接続されるプラグ７９ａを備えた電源回路７９により供給される。
【００５１】
二世帯住宅用として用いる場合、親機１1 では通常は接続端子Ｔ11が有効になるようにドアホン子機切換スイッチ１０を設定しておく。また、ドアホン接続拡張アダプタ７6 については、通常はスイッチ要素７１5 ，７１6 をオフにしておき、ドアホン接続拡張アダプタ７6 を介して接続されている各親機１1 を独立して動作させる。
【００５２】
一方、留守時などには、設定釦７６ａの操作によって留守時用の設定を選択する。このとき、どちらの親機１1 を設置してある世帯が留守になるかを指定することができる。いま、図１０に示す上側の親機１1 を設置している世帯が留守になるものとする。この場合に、制御信号は上側の親機１1 から下側の親機１1 に転送されればよいから、制御信号受信回路７８3 を通して制御信号をＣＰＵ７６に与え、ＣＰＵ７６で変換した制御信号を制御信号送信回路７８5 から送出させる。つまり、接続端子Ｔ73と接続端子Ｔ76との間で信号を通過させればよいから、スイッチ要素７１5 をオンにする。スイッチ要素７１5 がオンになれば映像信号および音声信号はドアホン接続拡張アダプタ７6 を双方向に通過することになる。
【００５３】
この状態において上側の親機１1 に接続されたドアホン子機２1 で呼出用の制御信号が発生すると上側の親機１1 を通過した制御信号はドアホン接続拡張アダプタ７6 を通して下側の親機１1 に入力される。下側の親機１1 では接続端子Ｔ12に制御信号が入力されることによって、接続端子Ｔ12を有効にするようにドアホン子機切換スイッチ１０を設定し、この状態において上側の親機１1 に接続されているドアホン子機２1 からの映像信号を下側の親機１1 に入力して画像を表示し、また両者間での通話が可能になるのである。
【００５４】
上述の動作例は上側の親機１１を設置している世帯が留守の場合であるが、下側の親機１１を設置している世帯が留守であれば、スイッチ要素７１６をオンにして接続端子Ｔ７４と接続端子Ｔ７５との間で信号が通過することになる。他の構成および動作は実施形態１と同様である。
（実施形態３）
本実施形態は、ドアホン接続拡張アダプタ７１での処理手順（各種設定に対する処理内容）や制御信号の変換内容などを容易に変更することができるように、処理手順や変換内容などを決定するためのプログラムやデータを記述したＲＯＭ７６ｂを、ドアホン接続拡張アダプタ７１のＣＰＵ７６とは別に設けた例を示す（図１１）。ＲＯＭ７６ｂは差換え可能に実装されており、仕様変更の際に交換することができる。また、ＲＯＭ７６ｂとしてＥＥＰＲＯＭを用いると、ＲＯＭ７６ｂを差し換えることなく仕様変更が可能になる。この構成は実施形態１だけではなく他の構成例においても適用可能である。
【００５５】
（参考例５）
本例では、図１２に示すように、実施形態１の構成において、ドアホン接続拡張アダプタ７１を設ける代わりにドアホン接続拡張アダプタ７１の機能を親機１１に内蔵したものである。したがって、設定釦７６ａに相当する設定釦１６ｃと、多重分離回路７４２に相当する多重分離回路１４３と、制御信号送受信回路７８２に相当する制御信号送受信回路１８３と、スイッチ要素７１１に相当するスイッチ要素１６３と、接続端子Ｔ７２に相当する接続端子Ｔ１４とを親機１１に付加してある。多重分離回路７４１は多重分離回路１４２で兼用され、制御信号送受信回路７８１は制御信号送受信回路１８で兼用されている。
【００５６】
この構成では、ドアホン接続拡張アダプタ７1 としての機能を親機１1 に内蔵しているから、同種の親機１1 の接続端子Ｔ14同士を接続すれば二世帯住宅用のシステムを構築することができ、各親機１1 を分岐器５を介して信号線Ｌ23に接続すれば集合住宅用のシステムを構築することができる。他の構成および動作は実施形態１と同様である。
【００５７】
【発明の効果】
請求項１の発明の構成によれば、単独で使用される一般的な親機を用いながらもドアホン接続拡張アダプタを用いることによって、親機間での信号の授受が可能になり、スイッチ要素を操作すれば２台の親機間での信号の通過が許可される状態と禁止される状態とを選択することができるから、二世帯住宅用としてのシステムを構築することが可能になる。すなわち、増設親機を接続するための接続端子を備えた親機を用いるドアホンシステムであれば、増設親機を接続するための接続端子にドアホン接続拡張アダプタを接続することによって、複数のドアホンシステムの相互間で通話が可能になる。また、識別情報によりスイッチ要素を操作することが可能であるから、集合住宅用のシステムを構築することも可能になる。つまり、ドアホン接続拡張アダプタを用いることによって、通常のドアホンシステムを二世帯住宅用と集合住宅用とのどちらにも拡張することが可能になるという利点がある。その結果、多品種の親機を製造する必要がなく、開発コスト、製造コスト、在庫コストなどのコストが低減されるという効果を奏する。
【００５９】
請求項２の発明の構成によれば、１台のドアホン接続拡張アダプタを用いるだけで２台の親機間の信号の通過の許可と禁止とを制御することができるから、通常のシステムから二世帯住宅用のシステムへの拡張が容易であるという利点を有する。また、請求項１の発明と同様に、通常のドアホンシステムを二世帯住宅用と集合住宅用とのどちらにも拡張することが可能になる。しかも、増設親機を接続するための接続端子を備えた親機を用いるドアホンシステムであれば、増設親機を接続するための接続端子にドアホン接続拡張アダプタを接続することによって、複数のドアホンシステムの相互間で通話が可能になる。
【００６０】
請求項３の発明のように、ドアホン接続拡張アダプタが、処理手順および処理時に用いるデータを格納したＲＯＭを備え、ＲＯＭの内容を交換可能としたものでは、ＲＯＭの内容変更が可能になるから処理内容の変更など仕様変更に容易に対応することができるという利点がある。
【図面の簡単な説明】
【図１】  本発明の実施形態１による二世帯住宅用の構築例を示すブロック図である。
【図２】  同上を集合住宅用の構築例を示すブロック図である。
【図３】  参考例１に用いる親機を示すブロック図である。
【図４】  同上による二世帯住宅用の構築例を示すブロック図である。
【図５】  同上による集合住宅用の構築例を示すブロック図である。
【図６】  参考例２による二世帯住宅用の構築例を示すブロック図である。
【図７】  同上による集合住宅用の構築例を示すブロック図である。
【図８】  本発明の実施形態２による二世帯住宅用の構築例を示すブロック図である。
【図９】  参考例３による二世帯住宅用の構築例を示すブロック図である。
【図１０】  参考例４による二世帯住宅用の構築例を示すブロック図である。
【図１１】  本発明の実施形態３に用いるドアホン接続拡張アダプタを示すブロック図である。
【図１２】  参考例５に用いる親機を示すブロック図である。
【図１３】  従来より提供されている親機を示すブロック図である。
【図１４】  ドアホン子機を示すブロック図である。
【図１５】  ドアホン子機の他例を示すブロック図である。
【図１６】  増設親機を示すブロック図である。
【図１７】  増設親機の他例を示すブロック図である。
【図１８】  従来の二世帯住宅用の構築例を示すブロック図である。
【図１９】  従来の集合住宅用の構築例を示すブロック図である。
【符号の説明】
１１  親機
２１  ドアホン子機
２２  ドアホン子機
３１  増設親機
３２  増設親機
７１  ドアホン接続拡張アダプタ
７１１  スイッチ要素
７４１  多重分離回路
７４２  多重分離回路
７６  ＣＰＵ
７６ａ  設定釦
７８１  制御信号送信回路
７８２  制御信号送信回路
Ｔ７１  接続端子
Ｔ７２  接続端子
【図１】
0003903511.tif 000002
【図２】
0003903511.tif 000003
【図３】
0003903511.tif 000004
【図４】
0003903511.tif 000005
【図５】
0003903511.tif 000006
【図６】
0003903511.tif 000007
【図７】
0003903511.tif 000008
【図８】
0003903511.tif 000009
【図９】
0003903511.tif 000010
【図１０】
0003903511.tif 000011
【図１１】
0003903511.tif 000012
【図１２】
0003903511.tif 000013
【図１３】
0003903511.tif 000014
【図１４】
0003903511.tif 000015
【図１５】
0003903511.tif 000016
【図１６】
0003903511.tif 000017
【図１７】
0003903511.tif 000018
【図１８】
0003903511.tif 000019
【図１９】
0003903511.tif 000020